(57)【要約】【課題】ＭＡＣスケジューラなどの上位レイヤの機能と、無線物理レイヤの機能とが分離して実装された場合でも、ユーザ装置の動作状態に応じて適切な制御を実現し得る無線基地局及び通信制御方法を提供する。【解決手段】動作状態通知部２１７が、中央集約装置２１０の管理するユーザ装置３００の動作状態を張出装置２６０へ通知し、送受信制御部２６９が、通知されたユーザ装置３００の動作状態に基づいて、ユーザ装置との間の信号の送受信及び中央集約装置２１０との間の信号の送受信を制御する。【選択図】図８
2017188834.tif 000002
【特許請求の範囲】
【請求項１】
張出装置と中央集約装置とを含み、ユーザ装置と無線通信を実行する無線基地局であって、
前記中央集約装置は、
前記ユーザ装置がアクティブタイム中であるか否かを示す動作状態情報を前記張出装置へ通知する動作状態通知部を備え、
前記張出装置は、
前記動作状態情報を受信する動作状態情報取得部と、
前記動作状態情報に基づいて、前記ユーザ装置との間の信号の送信と受信の少なくとも一方又は前記中央集約装置との間の信号の送信と受信の少なくとも一方を制御する制御部と、
を備える無線基地局。
【請求項２】
前記制御部は、前記ユーザ装置がアクティブタイム中でないことを示す前記動作状態情報を受信した場合、前記中央集約装置に対する前記ユーザ装置との間の無線品質を示す品質情報の送信を抑制する請求項１に記載の無線基地局。
【請求項３】
前記制御部は、前記ユーザ装置からランダムアクセスプリアンブルを受信した後、前記中央集約装置から前記ユーザ装置がアクティブタイム中であることを示す前記動作状態情報を受信した場合、前記ユーザ装置からの前記ランダムアクセスプリアンブルの受信を抑制する請求項１に記載の無線基地局。
【請求項４】
前記制御部は、前記ユーザ装置がアクティブタイム中でないことを示す前記動作状態情報を受信した後、前記中央集約装置から前記ユーザ装置に対する下りリンク制御信号を受信した場合、前記中央集約装置に対してエラーを通知する請求項１に記載の無線基地局。
【請求項５】
張出装置と中央集約装置とを含み、ユーザ装置と無線通信を実行する無線基地局における通信制御方法であって、
前記中央集約装置が、前記ユーザ装置がアクティブタイム中であるか否かを示す動作状態情報を前記張出装置へ通知するステップと、
前記張出装置が、前記中央集約装置から受信した前記動作状態情報に基づいて、前記ユーザ装置との間の信号の送信と受信の少なくとも一方又は前記中央集約装置との間の信号の送信と受信の少なくとも一方を制御するステップと、
を含む通信制御方法。
【発明の詳細な説明】
【技術分野】
【０００１】
本発明は、張出装置と中央集約装置とを含み、ユーザ装置と無線通信を実行する無線基地局及び通信制御方法に関する。
【背景技術】
【０００２】
３ｒｄ  Ｇｅｎｅｒａｔｉｏｎ  Ｐａｒｔｎｅｒｓｈｉｐ  Ｐｒｏｊｅｃｔ（３ＧＰＰ）は、Ｌｏｎｇ  Ｔｅｒｍ  Ｅｖｏｌｕｔｉｏｎ（ＬＴＥ）の更なる高速化を目的としてＬＴＥ−Ａｄｖａｎｃｅｄ（以下、ＬＴＥ−Ａｄｖｎｃｅｄを含めてＬＴＥという）を仕様化している。また、３ＧＰＰでは、さらに、５Ｇ（５ｔｈ  ｇｅｎｅｒａｔｉｏｎ  ｍｏｂｉｌｅ  ｃｏｍｍｕｎｉｃａｔｉｏｎ  ｓｙｓｔｅｍ）などと呼ばれるＬＴＥの後継システムの仕様が検討されている。
【０００３】
ＬＴＥでは、ＭＡＣ層におけるスケジューラ機能（ＭＡＣスケジューラ）などを有する中央集約装置と、中央集約装置の設置場所から張り出して遠隔に配置する張出装置とを含む、いわゆるＣ−ＲＡＮ（Ｃｅｎｔｒａｌｉｚｅｄ  Ｒａｄｉｏ  Ａｃｃｅｓｓ  Ｎｅｔｗｏｒｋ）型の無線基地局が用いられている。張出装置は、ＰＡ（Ｐｏｗｅｒ  Ａｍｐｌｉｆｉｅｒ）／ＬＮＡ（Ｌｏｗ  Ｎｏｉｓｅ  Ａｍｐｌｉｆｉｅｒ）、無線送受信モジュール及び変復調モジュールなどの無線部（ＲＦ部）を備える。中央集約装置と張出装置とは、フロントホールと呼ばれる有線伝送路で接続される。このような中央集約装置と張出装置とのインタフェースとしては、例えば、Ｃｏｍｍｏｎ  Ｐｕｂｌｉｃ  Ｒａｄｉｏ  Ｉｎｔｅｒｆａｃｅ（ＣＰＲＩ）が知られている。
【０００４】
ところで、上述した５Ｇの仕様検討に際して、これまで中央集約装置に実装されていた無線物理レイヤ（レイヤ１）の機能を張出装置に実装することが提唱されている（例えば、非特許文献１）。このような実装によれば、フロントホールの所要伝送帯域を削減することができる。
【０００５】
また、ＬＴＥでは、ユーザ装置のバッテリーセービングを目的として、ユーザ装置が送受信するデータが一定期間以上存在しない場合、無線基地局から送信される下りリンク制御チャネル（ＰＤＣＣＨ）を特定の期間のみ間欠的に受信する間欠受信（ＤＲＸ）制御が採用されている。ＤＲＸ制御では、ユーザ装置は、無線基地局から通知されたＤＲＸ制御情報に基づいて間欠受信を実行する。無線基地局は、間欠受信を実行するユーザ装置の動作状態（Ａｃｔｉｖｅ  Ｔｉｍｅ中であるか否か）を管理する。Ａｃｔｉｖｅ  Ｔｉｍｅ中のユーザ装置は、ＰＤＣＣＨを監視し、チャネル状態情報（ＣＳＩ）及びサウンディング参照信号（ＳＲＳ）を無線基地局に対して送信する。Ａｃｔｉｖｅ  Ｔｉｍｅ中ではないユーザ装置は、ＰＤＣＣＨを監視せず、ＣＳＩ／ＳＲＳを送信しない。
【先行技術文献】
【非特許文献】
【０００６】
【非特許文献１】3GPP RWS-150051(3GPP RAN workshop on 5G),“5G Vision for 2020 and Beyond”, 3GPP, 2015年9月
【発明の概要】
【発明が解決しようとする課題】
【０００７】
上述したように、これまで中央集約装置に実装されていた無線物理レイヤの機能を張出装置に実装した場合、次のような問題がある。すなわち、ＭＡＣスケジューラなどの上位レイヤ（レイヤ２など）の機能は、これまでどおり中央集約装置に実装される。ところが、中央集約装置と張出装置との間のインタフェースでは、ＤＲＸに関連した情報を通知する機構がなかった。このため、張出装置がユーザ装置の動作状態を把握できなかった。例えば、ユーザ装置がＡｃｔｉｖｅ  Ｔｉｍｅ中でない場合であっても、張出装置は、ＣＳＩ／ＳＲＳの受信を期待し、雑音や干渉等を復号して誤った判定結果（不要な判定結果）を中央集約装置へ通知するという問題があった。
【０００８】
そこで、本発明は、このような状況に鑑みてなされたものであり、ＭＡＣスケジューラなどの上位レイヤの機能と、無線物理レイヤの機能とが分離して実装された場合でも、ユーザ装置の動作状態に応じて適切な制御を実現し得る無線基地局及び通信制御方法を提供することを目的とする。
【課題を解決するための手段】
【０００９】
本発明の一態様は、張出装置と中央集約装置とを含み、ユーザ装置と無線通信を実行する無線基地局であって、前記中央集約装置は、前記ユーザ装置がアクティブタイム中であるか否かを示す動作状態情報を前記張出装置へ通知する動作状態通知部を備え、前記張出装置は、前記動作状態情報を受信する動作状態情報取得部と、前記動作状態情報に基づいて、前記ユーザ装置との間の信号の送信と受信の少なくとも一方又は前記中央集約装置との間の信号の送信と受信の少なくとも一方を制御する制御部と、を備える。
【発明の効果】
【００１０】
本発明によれば、ＭＡＣスケジューラなどの上位レイヤの機能と、無線物理レイヤの機能とが分離して実装された場合でも、ユーザ装置の動作状態に応じて適切な制御を実現し得る無線基地局及び通信制御方法を提供することができる。
【図面の簡単な説明】
【００１１】
【図１】図１は、無線通信システムの全体概略構成図である。
【図２】図２は、無線通信システムの全体ブロック構成図である。
【図３】図３は、第１の実施形態の中央集約装置の機能ブロック構成図である。
【図４】図４は、第１の実施形態の張出装置の機能ブロック構成図である。
【図５】図５は、タイマ満了時のユーザ装置の動作状態の遷移を示す図である。
【図６】図６は、ＤＲＸ  ＭＡＣ  ＣＥ受信時のユーザ装置の動作状態の遷移を示す図である。
【図７】図７は、ランダムアクセス手順時のユーザ装置の動作状態の遷移を示す図である。
【図８】図８は、ＣＳＩ／ＳＲＳの受信シーケンスを示す図である。
【図９】図９は、ランダムアクセス手順時の制御シーケンスを示す図である。
【図１０】図１０は、第２の実施形態の中央集約装置の機能ブロック構成図である。
【図１１】図１１は、第２の実施形態の張出装置の機能ブロック構成図である。
【図１２】図１２は、張出装置が中央集約装置へ動作状態を通知するシーケンスを示す図である。
【図１３】図１３は、張出装置が中央集約装置へ動作状態を通知する別のシーケンスを示す図である。
【図１４】図１４は、ユーザ装置がキャリアアグリゲーションを行っているときに、張出装置と中央集約装置との間で通知される動作状態を説明する図である。
【図１５】図１５は、ユーザ装置がキャリアアグリゲーションを行っているときに、張出装置と中央集約装置との間で通知される動作状態を説明する図である。
【図１６】図１６は、ユーザ装置がキャリアアグリゲーションを行っているときに、張出装置と中央集約装置との間で通知される動作状態を説明する図である。
【発明を実施するための形態】
【００１２】
以下、実施形態を図面を用いて説明する。なお、同一の機能や構成には、同一または類似の符号を付して、その説明を適宜省略する。
【００１３】
［第１の実施形態］
＜システム構成＞
図１は、本実施形態にかかる無線通信システム１０の全体概略構成図である。無線通信システム１０は、ＬＴＥ及びＬＴＥの後継システムである５Ｇに従った無線通信システムである。なお、本実施形態では、５Ｇと対応させる観点から、ＬＴＥを適宜「４Ｇ」と称呼する。また、本実施形態では、５Ｇが導入された直後における無線通信システムの構成を想定しており、５Ｇが４Ｇを補完するＬＴＥ  ａｓｓｉｓｔｅｄ  ｏｐｅｒａｔｉｏｎを実現する。
【００１４】
無線通信システム１０は、コアネットワーク２０、無線基地局１００、無線基地局２００、及びユーザ装置３００を含む。
【００１５】
コアネットワーク２０は、Ｅｖｏｌｖｅｄ  Ｐａｃｋｅｔ  Ｃｏｒｅ（ＥＰＣ）とも呼ばれ、移動管理エンティティ（ＭＭＥ）、サービングゲートウェイ（Ｓ−ＧＷ）、及びＰＤＮゲートウェイ（Ｐ−ＧＷ）などによって構成される。
【００１６】
無線基地局１００は、４Ｇに従った無線基地局であり、ｅＮｏｄｅＢとも呼ばれている。無線基地局１００は、Ｓ１−ＭＭＥ又はＳ１−Ｕインタフェースを介してコアネットワーク２０を構成する装置（ノード）と接続される。
【００１７】
無線基地局２００は、５Ｇに従った無線基地局である。無線基地局２００は、Ｘ２インタフェース（ここでは、便宜的に、Ｘ２−ＡＰ’，Ｘ２−Ｕ’と呼ぶ）を介して無線基地局１００と接続される。なお、無線基地局２００をコアネットワーク２０に直接接続し、５Ｇ単独で運用してもよい。
【００１８】
ユーザ装置３００は、無線基地局１００及び無線基地局２００と無線通信を実行することができる。ユーザ装置３００は、ＵＥ、無線通信端末あるいは移動局と呼ばれてもよい。無線基地局２００及びユーザ装置３００は、複数のアンテナ素子から送信される無線信号を制御することによって、より指向性の高いビームを生成するＭａｓｓｉｖｅ  ＭＩＭＯ、複数のコンポーネントキャリア（ＣＣ）を用いるキャリアアグリゲーション（ＣＡ）、及び複数の無線基地局とユーザ装置３００との間においてコンポーネントキャリアを同時送信するデュアルコネクティビティ（ＤＣ）などに対応することができる。
【００１９】
図２は、無線通信システム１０の全体ブロック構成図である。図２に示すように、無線基地局１００は、中央集約装置１１０及び張出装置１６０によって構成される。同様に、無線基地局２００は、中央集約装置２１０及び張出装置２６０によって構成される。なお、無線基地局１００及び無線基地局２００は、中央集約装置及び張出装置以外の他の装置を含んでもよい。
【００２０】
中央集約装置１１０は、無線物理レイヤ（Ｌ１）、ミディアムアクセス制御レイヤ（ＭＡＣ）、無線リンク制御レイヤ（ＲＬＣ）、パケット・データ・コンバージェンス・プロトコルレイヤ（ＰＤＣＰ）を有する。また、中央集約装置１１０は、ＰＤＣＰの上位レイヤとして、無線リソース制御レイヤ（ＲＲＣ）を有する。中央集約装置１１０は、中央処理部（Ｃｅｎｔｒａｌ  Ｕｎｉｔ（ＣＵ））とも呼ばれる。
【００２１】
張出装置１６０は、中央集約装置１１０の設置場所から張り出して遠隔に配置することができる。張出装置１６０は、ＰＡ（Ｐｏｗｅｒ  Ａｍｐｌｉｆｉｅｒ）／ＬＮＡ（Ｌｏｗ  Ｎｏｉｓｅ  Ａｍｐｌｉｆｉｅｒ）、無線送受信モジュール及び変復調モジュールなどの無線部（ＲＦ）を有する。張出装置１６０は、無線処理部（Ｒａｄｉｏ  Ｕｎｉｔ（ＲＵ））とも呼ばれる。
【００２２】
中央集約装置１１０と張出装置１６０とは、フロントホールと呼ばれる有線伝送路で接続される。中央集約装置１１０と張出装置１６０とのインタフェースとしては、例えば、Ｃｏｍｍｏｎ  Ｐｕｂｌｉｃ  Ｒａｄｉｏ  Ｉｎｔｅｒｆａｃｅ（ＣＰＲＩ）が用いられる。
【００２３】
中央集約装置２１０及び張出装置２６０は、上述した中央集約装置１１０及び張出装置１６０にそれぞれ対応するが、レイヤ構成が異なっている。具体的には、中央集約装置２１０は、ＭＡＣ及びＲＬＣを有する。張出装置２６０は、Ｌ１及びＲＦを有する。以下では、中央集約装置２１０を５Ｇ−ＣＵ、張出装置２６０を５Ｇ−ＲＵと呼ぶこともある。
【００２４】
＜各装置の構成＞
次に、本実施形態に係る中央集約装置２１０と張出装置２６０の構成について説明する。
【００２５】
図３は、中央集約装置２１０の機能ブロック構成図である。中央集約装置２１０は、情報受信部２１１、情報送信部２１３、動作状態管理部２１５、動作状態通知部２１７、スケジューラ機能部２１９、及びＸ２インタフェース（ＩＦ）部２２１を備える。中央集約装置２１０の各部は、プロセッサ（メモリを含む）、機能モジュール（外部接続ＩＦなど）、及び電源などのハードウェア要素によって実現される。
【００２６】
情報受信部２１１は、張出装置２６０から送信された情報を受信する。例えば、本実施形態に関連した具体的な例を挙げると、情報受信部２１１は、ＣＳＩ／ＳＲＳの判定結果、ランダムアクセスプリアンブル、及びＳｃｈｅｄｕｌｉｎｇ  Ｒｅｑｕｅｓｔ（ＳＲ）を張出装置２６０から受信する。なお、情報受信部２１１は、上記の情報だけでなく、無線基地局２００とユーザ装置３００との間で送受信される情報で、ＭＡＣ及びＲＬＣで必要な情報と無線基地局１００へ送信される情報も張出装置２６０から受信する。
【００２７】
情報送信部２１３は、情報を張出装置２６０へ送信する。例えば、本実施形態に関連した具体的な例を挙げると、情報送信部２１３は、ユーザ装置３００の動作状態（Ａｃｔｉｖｅ  Ｔｉｍｅ中か否か）に関する情報、ＤＲＸ  ｃｏｍｍａｎｄ  ＭＡＣ  Ｃｏｎｔｒｏｌ  Ｅｌｅｍｅｎｔ（ＣＥ）を張出装置２６０へ送信する。なお、情報送信部２１３は、上記の情報だけでなく、張出装置２６０を介してユーザ装置３００へ送信される情報も張出装置２６０へ送信する。
【００２８】
動作状態管理部２１５は、規定されたＡｃｔｉｖｅ  Ｔｉｍｅとなる条件に基づいて、ユーザ装置３００との間の信号の送受信状況を基に、ユーザ装置３００の動作状態（Ａｃｔｉｖｅ  Ｔｉｍｅ中か否か）を管理する。以下では、ユーザ装置３００がＡｃｔｉｖｅ  Ｔｉｍｅ中である状態をアクティブ状態と呼び、Ａｃｔｉｖｅ  Ｔｉｍｅ中でない状態を非アクティブ状態と呼ぶ。動作状態管理部２１５によるユーザ装置３００の動作状態の管理の詳細は後述する。
【００２９】
動作状態通知部２１７は、張出装置２６０に対して、動作状態管理部２１５が管理するユーザ装置３００の動作状態に関する情報を情報送信部２１３を介して通知する。動作状態通知部２１７による動作状態の通知の詳細は後述する。
【００３０】
スケジューラ機能部２１９は、無線基地局２００と接続されている複数のユーザ装置３００の状況、及びユーザ装置３００それぞれからの要求などに応じて、無線リソースのユーザ装置３００へのスケジューリング（割り当て）を実行する。スケジューラ機能部２１９は、動作状態管理部２１５が管理するユーザ装置３００の動作状態に基づいてスケジューリングを実行する。アクティブ状態のユーザ装置３００は、ＰＤＣＣＨを監視し、ＣＳＩ／ＳＲＳを送信する。非アクティブ状態のユーザ装置３００は、ＰＤＣＣＨを監視せず、ＣＳＩ／ＳＲＳを送信しない。したがって、例えば、スケジューラ機能部２１９は、非アクティブ状態のユーザ装置３００には下りリンクデータを送信しないようにスケジューリングを実行する。
【００３１】
Ｘ２インタフェース部２２１は、中央集約装置１１０との通信を実現するためのインタフェースを提供する。具体的には、Ｘ２インタフェース部２２１は、中央集約装置１１０と中央集約装置２１０とをＭＡＣ及びＲＬＣを用いて直接接続するインタフェースであり、既存のオープンインタフェースであることが好ましい。ユーザ装置３００の送受信データは、Ｘ２インタフェース部２２１を介して無線基地局１００と中継される。
【００３２】
図４は、張出装置２６０の機能ブロック構成図である。張出装置２６０は、無線通信部２６１、情報送信部２６３、情報受信部２６５、動作状態取得部２６７、及び送受信制御部２６９を備える。張出装置２６０の各部は、デュープレクサ（ＤＵＸ）、ＰＡ／ＬＮＡ、無線送受信モジュール（ＲＦ変換）、機能モジュール（直交変復調など）、及び電源などのハードウェア要素によって実現される。
【００３３】
無線通信部２６１は、ユーザ装置３００との無線通信を実行する。具体的には、無線通信部２６１は、５Ｇの仕様に従ってユーザ装置３００との無線通信を実行する。上述したように、無線通信部２６１は、Ｍａｓｓｉｖｅ  ＭＩＭＯ、ＣＡ、及びＤＣなどに対応することができる。
【００３４】
情報送信部２６３は、情報を中央集約装置２１０へ送信する。例えば、本実施形態に関連した具体的な例を挙げると、情報送信部２６３は、ＣＳＩ／ＳＲＳの判定結果、ランダムアクセスプリアンブル、及びＳｃｈｅｄｕｌｉｎｇ  Ｒｅｑｕｅｓｔ（ＳＲ）を中央集約装置２１０へ送信する。なお、情報送信部２６３は、上記の情報だけでなく、無線基地局２００とユーザ装置３００との間で送受信される情報で、中央集約装置２１０のＭＡＣ及びＲＬＣで必要な情報と無線基地局１００へ送信される情報も中央集約装置２１０へ送信する。
【００３５】
情報受信部２６５は、中央集約装置２１０から送信された情報を受信する。例えば、本実施形態に関連した具体的な例を挙げると、情報受信部２６５は、ユーザ装置３００の動作状態（Ａｃｔｉｖｅ  Ｔｉｍｅ中か否か）に関する情報、ＤＲＸ  ｃｏｍｍａｎｄ  ＭＡＣ  ＣＥを中央集約装置２１０から受信する。なお、情報受信部２６５は、上記の情報だけでなく、張出装置２６０を介してユーザ装置３００へ送信される情報も中央集約装置２１０から受信する。
【００３６】
動作状態取得部２６７は、中央集約装置２１０から受信した情報からユーザ装置３００がＡｃｔｉｖｅ  Ｔｉｍｅ中であるか否かを示す動作状態に関する情報を取得し、ユーザ装置３００の動作状態を得る。
【００３７】
送受信制御部２６９は、ユーザ装置３００の動作状態に基づいて、ユーザ装置３００との間での情報の送受信、及び中央集約装置２１０に対する情報の送信を制御する。具体的には、送受信制御部２６９は、ユーザ装置３００の動作状態に基づいて、ＣＳＩ／ＳＲＳ受信制御、ランダムアクセス手順関連制御、及びエラーケースハンドリングを実行する。送受信制御部２６９による制御の詳細については後述する。
【００３８】
＜動作状態の管理処理＞
次に、中央集約装置２１０によるユーザ装置３００の動作状態の管理処理について説明する。
【００３９】
ＤＲＸ制御では、ＲＲＣ接続状態（ＲＲＣ  Ｃｏｎｎｅｃｔｅｄ）のユーザ装置３００は、Ａｃｔｉｖｅ  Ｔｉｍｅ中であるか否かを管理される。具体的には、以下の条件のいずれかを満たす場合、ユーザ装置３００はＡｃｔｉｖｅ  Ｔｉｍｅ中である。以下の条件のいずれも満たさない場合、ユーザ装置３００はＡｃｔｉｖｅ  Ｔｉｍｅ中でない。
【００４０】
・ｏｎＤｕｒａｔｉｏｎＴｉｍｅｒ，ｄｒｘ−ＩｎａｃｔｉｖｉｔｙＴｉｍｅｒ，ｄｒｘ−ＲｅｔｒａｎｓｍｉｓｓｉｏｎＴｉｍｅｒ，あるいはｍａｃ−ＣｏｎｔｅｎｔｉｏｎＲｅｓｏｌｕｔｉｏｎＴｉｍｅｒの何れかが起動している場合
・Ｓｃｈｅｄｕｌｉｎｇ  Ｒｅｑｕｅｓｔを送信した場合
・ＵＬ  ＨＡＲＱ再送のためのＵＬ  ｇｒａｎｔが割り当てられる場合
・Ｒａｎｄｏｍ  Ａｃｃｅｓｓ  Ｒｅｓｐｏｎｓｅを受信し、その後、新規送信を指示するＰＤＣＣＨを受信していない場合
【００４１】
動作状態管理部２１５は、ユーザ装置３００に対する送受信状況を基に、上記のいずれかの条件が満たされるか否かを判定し、ユーザ装置３００の動作状態を管理する。以下、図を用いてユーザ装置３００の動作状態の遷移の例と動作状態管理部２１５の動作をいくつか説明する。
【００４２】
図５は、ユーザ装置３００がタイマに従ってアクティブ状態と非アクティブ状態との間を遷移する例を示す図である。ユーザ装置３００が無線基地局２００からＰＤＣＣＨを受信すると、ｄｒｘ−ＩｎａｃｔｉｖｉｔｙＴｉｍｅｒが起動／再起動される。ｄｒｘ−ＩｎａｃｔｉｖｉｔｙＴｉｍｅｒが起動中は、ユーザ装置３００はアクティブ状態である。ｄｒｘ−ＩｎａｃｔｉｖｉｔｙＴｉｍｅｒが満了すると、ユーザ装置３００は非アクティブ状態となる。その後、ユーザ装置３００は、ＤＲＸ周期毎の動作を開始する。ＤＲＸ周期では、ユーザ装置３００は、所定のＯｎ  Ｄｕｒａｔｉｏｎにわたってアクティブ状態となり、次のＤＲＸ周期まで非アクティブ状態となる。Ｏｎ  Ｄｕｒａｔｉｏｎでアクティブ状態となったユーザ装置は、ＰＤＣＣＨの監視、無線基地局に対するＣＳＩ／ＳＲＳの送信等を実行する。
【００４３】
また、ユーザ装置３００は、Ｏｎ  Ｄｕｒａｔｉｏｎ中に新規の下りリンクデータを受信すると、ｄｒｘ−ＩｎａｃｔｉｖｉｔｙＴｉｍｅｒを起動／再起動するとともに、ＨＡＲＱ  ＲＴＴ  Ｔｉｍｅｒを起動する。下りリンクデータを正しく復号できなかった場合、ユーザ装置３００は、ＨＡＲＱ  ＲＴＴ  Ｔｉｍｅｒが満了するとｄｒｘ−ＲｅｔｒａｎｓｍｉｓｓｉｏｎＴｉｍｅｒを起動する。
【００４４】
動作状態管理部２１５は、張出装置２６０がユーザ装置３００へ新規割り当てのＰＤＣＣＨを送信したタイミング、あるいは張出装置２６０がユーザ装置３００から対応するＡＣＫ／ＮＡＣＫを受信したタイミングで、ｄｒｘ−ＩｎａｃｔｉｖｉｔｙＴｉｍｅｒを起動／再起動し、動作状態をアクティブ状態として管理する。動作状態管理部２１５は、ｄｒｘ−ＩｎａｃｔｉｖｉｔｙＴｉｍｅｒが満了したタイミングで、動作状態を非アクティブ状態として管理する。
【００４５】
また、動作状態管理部２１５は、ＤＲＸ周期の動作において、Ｏｎ  Ｄｕｒａｔｉｏｎ中は、動作状態をアクティブ状態として管理し、Ｏｎ  Ｄｕｒａｔｉｏｎ後から次のＤＲＸ期間までは、動作状態を非アクティブ状態として管理する。動作状態管理部２１５は、ユーザ装置３００に通知されたＤＲＸ制御に必要な情報を用いて、ＤＲＸ周期中の動作状態を管理する。ＤＲＸ制御に必要な情報としては、例えば、ｏｎＤｕｒａｔｉｏｎＴｉｍｅｒ，ｄｒｘ−ＩｎａｃｔｉｖｉｔｙＴｉｍｅｒ，ｄｒｘ−ＲｅｔｒａｎｓｍｉｓｓｉｏｎＴｉｍｅｒ，及びＤＲＸ周期などのＤＲＸ制御情報とＨＡＲＱ  ＲＴＴなどがある。ＤＲＸ制御情報は、無線基地局２００からユーザ装置３００に対してＲＲＣを介して通知されるｄｒｘ−Ｃｏｎｆｉｇによって設定される。
【００４６】
図６は、ユーザ装置３００がタイマに従ってアクティブ状態と非アクティブ状態との間を遷移する別の例を示す図である。図６では、ｄｒｘ−ＩｎａｃｔｉｖｉｔｙＴｉｍｅｒの起動中に、ユーザ装置３００が無線基地局２００からＤＲＸ  ｃｏｍｍａｎｄ  ＭＡＣ  ＣＥを受信している。ユーザ装置３００は、ＤＲＸ  ｃｏｍｍａｎｄ  ＭＡＣ  ＣＥを受信すると、ｄｒｘ−ＩｎａｃｔｉｖｉｔｙＴｉｍｅｒを強制停止し、非アクティブ状態となる。その後、ユーザ装置３００は、ＤＲＸ制御を実行し、ＤＲＸ周期毎の動作を開始する。ＤＲＸ周期毎の動作は図５で説明したものと同じである。
【００４７】
動作状態管理部２１５は、張出装置２６０がユーザ装置３００に対してＤＲＸ  ｃｏｍｍａｎｄ  ＭＡＣ  ＣＥを送信したタイミングで、動作状態を非アクティブ状態として管理する。
【００４８】
図７は、ユーザ装置３００がランダムアクセス手順に関連してアクティブ状態と非アクティブ状態との間を遷移する例を示す図である。
【００４９】
図７に示すように、ランダムアクセス手順中、ユーザ装置３００は、ランダムアクセスプリアンブルを送信した後、ランダムアクセスレスポンス（ＲＡＲ）  ｗｉｎｄｏｗを設けて、無線基地局２００が送信するランダムアクセスレスポンスの受信を期待する。また、ユーザ装置３００は、Ｍｓｇ３（Ｓｃｈｅｄｕｌｅｄ  Ｔｒａｎｓｍｉｓｓｉｏｎ）を送信した後、Ｃｏｎｔｅｎｔｉｏｎ  Ｒｅｓｏｌｕｔｉｏｎ  Ｔｉｍｅｒを起動し、無線基地局２００が送信するＭｓｇ４（Ｃｏｎｔｅｎｔｉｏｎ  Ｒｅｓｏｌｕｔｉｏｎ）の受信を期待する。ＲＡＲ  ｗｉｎｄｏｗ及びＣｏｎｔｅｎｔｉｏｎ  Ｒｅｓｏｌｕｔｉｏｎ  Ｔｉｍｅｒの起動中は、Ａｃｔｉｖｅ  Ｔｉｍｅとみなすことが規定されている。
【００５０】
動作状態管理部２１５は、張出装置２６０がユーザ装置３００からランダムアクセスプリアンブルを受信した後、ＲＡＲ  ｗｉｎｄｏｗ期間中は、動作状態をアクティブ状態として管理する。
【００５１】
また、動作状態管理部２１５は、無線基地局２００がユーザ装置３００からＭｓｇ３を受信した後、Ｃｏｎｔｅｎｔｉｏｎ  Ｒｅｓｏｌｕｔｉｏｎ  Ｔｉｍｅｒの起動中は、動作状態をアクティブ状態として管理する。
【００５２】
図示したもの以外では、例えば、張出装置２６０がユーザ装置３００からＳＲを受信したときに、動作状態管理部２１５は、動作状態をアクティブ状態として管理する。
【００５３】
＜動作状態の通知処理＞
次に、中央集約装置２１０から張出装置２６０へユーザ装置３００の動作状態の通知処理について説明する。
【００５４】
動作状態通知部２１７は、動作状態管理部２１５が管理するユーザ装置３００の動作状態が遷移すると、遷移後の動作状態を張出装置２６０へ通知する。動作状態通知部２１７は、動作状態が遷移した場合に、イベントをトリガして動作状態を張出装置２６０へ通知してもよいし、イベントトリガに加えて周期的に（例えばＴＴＩ毎に）動作状態を張出装置２６０へ通知してもよい。
【００５５】
動作状態通知部２１７は、動作状態を示す１ビットの情報（例えば１はアクティブ状態、０は非アクティブ状態を示す）を張出装置２６０へ通知してもよい。あるいは、初期状態をいずれかの状態（アクティブ状態あるいは非アクティブ状態）に規定しておき、動作状態通知部２１７は、動作状態のトグルを示す情報（動作状態の維持あるいは変更）を通知してもよい。
【００５６】
動作状態通知部２１７は、張出装置２６０に対して動作状態を通知するときに、中央集約装置２１０が動作状態の遷移を検出したタイミングあるいは張出装置２６０において動作状態の反映を実施するタイミングを通知してもよい。タイミングは、Ｈｙｐｅｒ  Ｓｙｓｔｅｍ  Ｆｒａｍｅ  Ｎｕｍｂｅｒ（ＳＦＮ），ＳＦＮ，及びサブフレーム番号で通知されてもよい。動作状態通知部２１７がこれらのタイミングを張出装置２６０へ通知することにより、張出装置２６０は、フロントホールにおける遅延に影響されずに、ユーザ装置３００の動作状態の遷移タイミングをより正確に知ることができる。
【００５７】
動作状態通知部２１７は、張出装置２６０に対して動作状態を通知するときに、ユーザ装置３００の識別子（Ｃ−ＲＮＴＩ、ＩＭＳＩ、ＩＭＥＩ）を通知してもよい。
【００５８】
なお、本実施形態では、ユーザ装置３００単位でＤＲＸ制御が実行されることを想定している。ＤＲＸ制御が、コンポーネントキャリア単位あるいはセルグループ単位で行われる場合には、動作状態通知部２１７は、コンポーネントキャリアごとあるいはセルグループごとに動作状態を張出装置２６０へ通知してもよい。この場合、動作状態通知部２１７は、張出装置２６０に対して動作状態を通知するときに、コンポーネントキャリアあるいはセルグループの識別子を通知してもよい。
【００５９】
＜制御処理＞
続いて、張出装置２６０による制御処理について説明する。
【００６０】
張出装置２６０は、中央集約装置２１０から通知されたユーザ装置３００の動作状態に基づき、ユーザ装置３００との間の信号の送受信及び中央集約装置２１０との間の信号の送受信を制御する。具体的には、送受信制御部２６９は、ＣＳＩ／ＳＲＳの受信制御、ランダムアクセス手順時のランダムアクセスプリアンブルの受信制御、及びエラーケースハンドリングを行う。以下、各制御について説明する。
【００６１】
まず、ＣＳＩ／ＳＲＳの受信制御について説明する。
【００６２】
中央集約装置２１０は、下りリンクのチャネル状態に応じたスケジューリングを行う。ユーザ装置３００は、張出装置２６０に対して、下りリンクのチャネル状態情報（ＣＳＩ）を周期的に送信する。ＣＳＩは、チャネル品質指標（ＣＱＩ）、プリコーディング行列指標（ＰＭＩ）、ランク指標（ＲＩ）、及びプリコーディングタイプ指標（ＰＴＩ）の１つあるいは複数の情報で構成される。張出装置２６０は、ユーザ装置３００からＣＳＩを受信し、判定結果を中央集約装置２１０に対して通知する。
【００６３】
また、ユーザ装置３００は、無線基地局２００による上りリンクのチャネル状態の推定を可能にするために、サウンディング参照信号（ＳＲＳ）を周期的に上りリンクで送信する。張出装置２６０は、ユーザ装置３００からＳＲＳを受信し、判定結果を中央集約装置２１０に対して通知する。
【００６４】
張出装置２６０が中央集約装置２１０に送信するＣＳＩ／ＳＲＳの判定結果は、張出装置２６０とユーザ装置３００との間の無線品質を示す品質情報である。張出装置２６０は、ＣＳＩ／ＳＲＳの判定結果を中央集約装置２１０に対して周期的に通知する。
【００６５】
ユーザ装置３００は、アクティブ状態のときはＣＳＩ／ＳＲＳを周期的に送信するが、非アクティブ状態のときはＣＳＩ／ＳＲＳを送信しない。そこで、送受信制御部２６９は、ユーザ装置３００の動作状態に応じて、ＣＳＩ／ＳＲＳの受信及びＣＳＩ／ＳＲＳの判定結果の通知を制御する。
【００６６】
図８は、ユーザ装置３００の動作状態を考慮したＣＳＩ／ＳＲＳの受信シーケンスを示す図である。
【００６７】
ユーザ装置３００は、非アクティブ状態であるので、ＣＳＩ／ＳＲＳを送信するタイミングであっても、ＣＳＩ／ＳＲＳを送信しない（ステップＳ１１）。
【００６８】
張出装置２６０は、ユーザ装置３００が非アクティブ状態であることを中央集約装置２１０から通知されているので、ＣＳＩ／ＳＲＳを受信するタイミングであっても、ＣＳＩ／ＳＲＳを受信せず、判定結果を中央集約装置２１０へ通知しない（ステップＳ１２）。あるいは、張出装置２６０は、ＣＳＩ／ＳＲＳを受信するが、受信したＣＳＩ／ＳＲＳは雑音等を復号したものであると考えられるので、ＣＳＩ／ＳＲＳの判定結果を中央集約装置２１０へ通知しなくてもよい。あるいは、張出装置２６０は、「無効値」や「受信不可」を中央集約装置２１０に通知してもよい。
【００６９】
中央集約装置２１０が管理するユーザ装置３００の動作状態がアクティブ状態に遷移すると、中央集約装置２１０は、ユーザ装置３００がアクティブ状態になったことを張出装置２６０へ通知する（ステップＳ１３）。ＣＳＩ／ＳＲＳ受信タイミングの制御という観点では、中央集約装置２１０は、張出装置２６０に対して「ＣＳＩ／ＳＲＳ受信開始」を通知してもよい。
【００７０】
ＣＳＩ／ＳＲＳを送信するタイミングになると、ユーザ装置３００はＣＳＩ／ＳＲＳを送信する（ステップＳ１４）。張出装置２６０はＣＳＩ／ＳＲＳを受信して判定結果を中央集約装置２１０へ通知する（ステップＳ１５）。
【００７１】
中央集約装置２１０が管理するユーザ装置３００の動作状態が非アクティブ状態に遷移すると、中央集約装置２１０は、ユーザ装置３００が非アクティブ状態になったことを張出装置２６０へ通知する（ステップＳ１６）。中央集約装置２１０は、張出装置２６０に対して「ＣＳＩ／ＳＲＳ受信停止」を通知してもよい。
【００７２】
ＣＳＩ／ＳＲＳを送信するタイミングであっても、ユーザ装置３００は、非アクティブ状態であるので、ＣＳＩ／ＳＲＳを送信しない（ステップＳ１７）。張出装置２６０は、ユーザ装置３００が非アクティブ状態であることを通知されているので、ＣＳＩ／ＳＲＳを受信せず、判定結果を中央集約装置へ通知しない（ステップＳ１８）。
【００７３】
ユーザ装置３００の動作状態がアクティブ状態になると、中央集約装置２１０は、張出装置２６０に対してユーザ装置３００の動作状態を通知する（ステップＳ１９）。ユーザ装置３００は、所定のタイミングでＣＳＩ／ＳＲＳを送信する（ステップＳ２０）。張出装置２６０は、ＣＳＩ／ＳＲＳを受信して判定結果を中央集約装置２１０へ通知する（ステップＳ２１）。
【００７４】
ユーザ装置３００の動作状態が非アクティブ状態になると、中央集約装置２１０は、張出装置２６０に対してユーザ装置３００の動作状態を通知する（ステップＳ２２）。ユーザ装置３００は、ＣＳＩ／ＳＲＳを送信しない（ステップＳ２３）。張出装置２６０は、ＣＳＩ／ＳＲＳを受信せず、判定結果を中央集約装置２１０へ通知しない（ステップＳ２４）。
【００７５】
なお、中央集約装置２１０から張出装置２６０に対する通知に際して、ｃｑｉ−ｍａｓｋの設定の有無、Ｍｅａｓｕｒｅｍｅｎｔ  ｇａｐタイミング、及びＳＣｅｌｌ（セカンダリセル）の活性化（Ａｃｔｉｖａｔｅ）状態などのその他の設定情報や状態が考慮されてもよい。ｃｑｉ−ｍａｓｋやＭｅａｓｕｒｅｍｅｎｔ  ｇａｐ設定時には、ユーザ装置３００はアクティブ状態であっても、ＣＳＩ／ＳＲＳを送信しない場合がある。このとき中央集約装置２１０は、張出装置２６０に対して「非アクティブ状態（ＣＳＩ／ＳＲＳ受信不要）」を通知してもよい。
【００７６】
以上のように、張出装置２６０は、ユーザ装置３００が非アクティブ状態であることを示す動作状態を中央集約装置２１０から受信した場合、中央集約装置２１０に対するＣＳＩ／ＳＲＳの判定結果の送信を抑制する。これにより、張出装置２６０は、ユーザ装置３００が非アクティブ状態のときは、中央集約装置２１０に対して、雑音や干渉等を復号した誤った判定結果を送信することがなくなり、フロントホール上の不要な信号の送信を回避できる。
【００７７】
なお、上記では、ＣＳＩ／ＳＲＳの受信制御について説明したが、ＣＳＩ／ＳＲＳのみならず、アクティブ状態によって送受信の要否が決定される信号であれば、本実施形態が適用できる。
【００７８】
続いて、ランダムアクセス手順時のランダムアクセスプリアンブルの受信制御について説明する。
【００７９】
図９は、コンテンションフリー方式（非競合）のランダムアクセス手順時の制御シーケンスを示す図である。ランダムアクセス手順は、最初のアクセスや再接続、ハンドオーバ、あるいは、上りの同期が確立されていないときのＤＬ／ＵＬ  ｄａｔａ  ｒｅｓｕｍｉｎｇに用いられる。
【００８０】
コンテンションフリー方式のランダムアクセス手順では、無線基地局２００は、ユーザ装置３００に対して、コンテンションフリーのランダムアクセスプリアンブルを割り当てて送信する（ステップＳ３１）。
【００８１】
ユーザ装置３００は、コンテンションフリーのランダムアクセスプリアンブルを無線基地局２００に対して送信する（ステップＳ３２）。
【００８２】
中央集約装置２１０は、ユーザ装置３００からコンテンションフリーのランダムアクセスプリアンブルを受信すると、ユーザ装置３００はアクティブ状態であると管理し、張出装置２６０に対してユーザ装置３００がアクティブ状態であることを通知する（ステップＳ３３）。ユーザ装置３００のＲＡＲ  ｗｉｎｄｏｗは、ランダムアクセスプリアンブルの送信タイミングから３サブフレーム後から開始される。ＲＡＲ  ｗｉｎｄｏｗの期間は、ユーザ装置３００はアクティブ状態である。
【００８３】
張出装置２６０は、ユーザ装置３００からコンテンションフリーのランダムアクセスプリアンブルを受信した後、中央集約装置２１０からアクティブ状態の通知を受けると（ステップＳ３４）、ユーザ装置３００からのランダムアクセスプリアンブルの受信を中止する。
【００８４】
ＲＡＲ  ｗｉｎｄｏｗの期間が終了すると、中央集約装置２１０は、張出装置２６０に対してユーザ装置３００が非アクティブ状態であることを通知する（ステップＳ３５）。ＲＡＲ  ｗｉｎｄｏｗ中に、無線基地局２００がユーザ装置３００に対してＲＡＲを送信したときに、中央集約装置２１０は、張出装置２６０に対してユーザ装置３００が非アクティブ状態であることを通知してもよい。
【００８５】
ユーザ装置３００は、ＲＡＲ  ｗｉｎｄｏｗ内にＲＡＲを受信できない場合、ＲＡＲ  ｗｉｎｄｏｗ終了後にランダムアクセスプリアンブルの再送を試みる。張出装置２６０は、ランダムアクセスプリアンブルの受信を開始する。
【００８６】
以上のように、張出装置２６０は、コンテンションフリーのランダムアクセスプリアンブルの受信後、中央集約装置２１０からアクティブ状態の通知を受けると、ランダムアクセスプリアンブルの受信を抑制することにより、不要なランダムアクセスプリアンブルの誤検出を回避できる。
【００８７】
なお、上記の処理は、コンテンションベースのランダムアクセス手順にも適用可能である。
【００８８】
続いて、エラーケースハンドリングについて説明する。
【００８９】
張出装置２６０は、中央集約装置２１０からユーザ装置３００が非アクティブ状態であるという通知を受けているときに、中央集約装置２１０から当該ユーザ装置３００に対するＰＤＣＣＨ送信が指示される場合、張出装置２６０は、エラーケースとみなして、中央集約装置２１０に対して失敗（Ｆａｉｌｕｒｅ）を通知してもよい。このとき、張出装置２６０は、ＰＤＣＣＨ送信を実施しなくてもよい。
【００９０】
以上のように、張出装置２６０は、通知された動作状態に矛盾する下りリンク制御信号を中央集約装置２１０から受信した場合、中央集約装置２１０に対してＦａｉｌｕｒｅを通知することにより、中央集約装置２１０の管理する動作状態を正すこと、あるいは正しい動作状態の通知を期待できる。
【００９１】
以上説明したように、本実施形態によれば、動作状態通知部２１７が、中央集約装置２１０の管理するユーザ装置３００の動作状態を張出装置２６０へ通知し、送受信制御部２６９が、通知されたユーザ装置３００の動作状態に基づいて、ユーザ装置との間の信号の送受信及び中央集約装置２１０との間の信号の送受信を制御することにより、張出装置２６０は、誤った情報の送受信及び不要な情報の送受信を抑制できる。すなわち、ＭＡＣスケジューラなどの上位レイヤの機能と、無線物理レイヤの機能とが分離して実装された場合でも、ユーザ装置の動作状態に応じて適切な制御を実現し得る。
【００９２】
本実施形態によれば、張出装置２６０は、ユーザ装置３００が非アクティブ状態であることを示す動作状態を中央集約装置２１０から受信した場合、中央集約装置２１０に対するＣＳＩ／ＳＲＳの判定結果の送信を抑制する。これにより、張出装置２６０は、中央集約装置２１０に対して、雑音や干渉等を復号した誤った判定結果を送信することがなくなり、フロントホール上の不要な信号の送信を回避できる。
【００９３】
本実施形態によれば、張出装置２６０は、コンテンションフリーのランダムアクセスプリアンブルの受信後、中央集約装置２１０からアクティブ状態の通知を受けると、ランダムアクセスプリアンブルの受信を抑制する。これにより、不要なランダムアクセスプリアンブルの誤検出を回避できる。
【００９４】
本実施形態によれば、張出装置２６０は、通知された動作状態に矛盾する下りリンク制御信号を中央集約装置２１０から受信した場合、中央集約装置２１０に対してＦａｉｌｕｒｅを通知する。これにより、中央集約装置２１０の管理する動作状態を正すこと、あるいは正しい動作状態の通知を期待できる。
【００９５】
［第２の実施形態］
次に、第２の実施形態について説明する。第１の実施形態では、中央集約装置２１０がユーザ装置３００の動作状態を管理していたが、第２の実施形態では、張出装置２６０がユーザ装置３００の動作状態を管理し、その動作状態を中央集約装置２１０へ通知する。以下、第１の実施形態と異なる部分について主に説明し、第１の実施形態と同様の部分については、適宜説明を省略する。
【００９６】
＜各装置の構成＞
図１０は、第２の実施形態に係る中央集約装置２１０の機能ブロック構成図である。第２の実施形態に係る中央集約装置２１０は、第１の実施形態に係る中央集約装置と比較すると、動作状態管理部２１５及び動作状態通知部２１７を備えず、ＤＲＸ設定通知部２２３及び動作状態取得部２２５を備える点で相違する。
【００９７】
ＤＲＸ設定通知部２２３は、無線基地局２００がユーザ装置３００へＲＲＣを介してＤＲＸ制御情報を設定するときに、ＤＲＸ制御に必要な情報を張出装置２６０に対して通知する。
【００９８】
動作状態取得部２２５は、張出装置２６０から受信した情報からユーザ装置３００がＡｃｔｉｖｅ  Ｔｉｍｅ中であるか否かを示す動作状態に関する情報を取得し、ユーザ装置３００の動作状態を得る。スケジューラ機能部２１９は、張出装置２６０から取得したユーザ装置３００の動作状態に基づいてスケジューリングを行う。
【００９９】
図１１は、第２の実施形態に係る張出装置２６０の機能ブロック構成図である。第２の実施形態に係る張出装置２６０は、第１の実施形態に係る張出装置と比較すると、動作状態取得部２６７を備えず、動作状態管理部２７１及び動作状態通知部２７３を備える点で相違する。
【０１００】
動作状態管理部２７１は、規定されたＡｃｔｉｖｅ  Ｔｉｍｅとなる条件に基づいて、ユーザ装置３００との間の信号の送受信状況を基に、ユーザ装置３００の動作状態を管理する。動作状態管理部２７１は、中央集約装置２１０から通知されたＤＲＸ制御に必要な情報を用いてユーザ装置３００の動作状態を管理する。
【０１０１】
動作状態通知部２７３は、中央集約装置２１０に対して、動作状態管理部２７１が管理するユーザ装置３００の動作状態に関する情報を情報送信部２６３を介して通知する。動作状態通知部２７３による動作状態の通知の詳細は後述する。
【０１０２】
＜張出装置の動作＞
第２の実施形態では、張出装置２６０がユーザ装置３００の動作状態の管理を実行する。張出装置２６０が実行する動作状態の管理処理は、第１の実施形態の中央集約装置２１０が実行する管理処理と同様である。また、張出装置２６０が、動作状態に基づいて、ユーザ装置３００との間の信号の送受信及び中央集約装置２１０との間の信号の送受信を制御する処理は、第１の実施形態と同様である。
【０１０３】
＜動作状態の通知処理＞
張出装置２６０が中央集約装置２１０へユーザ装置３００の動作状態を通知する処理について説明する。
【０１０４】
図１２は、張出装置２６０が中央集約装置２１０へユーザ装置３００の動作状態を通知するシーケンスを示す図である。同図に示す条件１、条件２、条件３は、ユーザ装置３００がＡｃｔｉｖｅ  Ｔｉｍｅとなる条件である。例えば、条件１はｄｒｘ−ＩｎａｃｔｉｖｉｔｙＴｉｍｅｒが起動中、条件２はＳＲを受信した、条件３はｏｎＤｕｒａｔｉｏｎＴｉｍｅｒが起動中である。条件のいずれか１つでもＴｒｕｅの場合、ユーザ装置３００はアクティブ状態となる。つまり、全ての条件がＦａｌｓｅの場合、ユーザ装置３００は非アクティブ状態となる。同図では、簡単のために３つの条件のみを図示した。条件はこれに限るものでなく、他の条件を加えてもよい。
【０１０５】
図１２の最初の時点では、条件１がＴｒｕｅであるので、ユーザ装置３００の動作状態はアクティブ状態である。動作状態管理部２７１は、動作状態をアクティブ状態と管理している。
【０１０６】
条件２がＴｒｕｅになっても、それ以前においても条件１がＴｒｕｅであったので、動作状態はアクティブ状態で変わらない。その後、条件１がＦａｌｓｅになっても、条件２がＴｒｕｅなので、動作状態はアクティブ状態で変わらない。
【０１０７】
条件２がＦａｌｓｅになると、それ以前において条件１及び条件３がＦａｌｓｅになっており、このタイミングで全ての条件がＦａｌｓｅになるので動作状態は非アクティブ状態に遷移する。動作状態がアクティブ状態から非アクティブ状態へ遷移するので、張出装置２６０は、動作状態がアクティブ状態から非アクティブ状態へ遷移したことを中央集約装置２１０に対して通知する（ステップＳ５１）。中央集約装置２１０は、動作状態が通知されると、新たな動作状態を考慮してスケジューリングを行う。
【０１０８】
以降も、動作状態が変わったときに、張出装置２６０は、動作状態が変化したことを中央集約装置２１０に対して通知する（ステップＳ５２〜Ｓ５５）。
【０１０９】
図１３は、張出装置２６０が中央集約装置２１０へユーザ装置３００の動作状態を通知する別のシーケンスを示す図である。図１２の例では、ユーザ装置３００の動作状態が変化するタイミングで、張出装置２６０が中央集約装置２１０へ動作状態の遷移を通知した。図１３の例では、張出装置２６０は、ユーザ装置３００の動作状態を決定する条件毎に、中央集約装置２１０に対して通知する。
【０１１０】
条件２がＴｒｕｅになったとき、それ以前においても条件１がＴｒｕｅであったので、動作状態は変化しないが、張出装置２６０は、条件２が変化したことを中央集約装置２１０に対して通知する（ステップＳ６１）。
【０１１１】
その後、条件１がＦａｌｓｅになっても、条件２がＴｒｕｅなので、動作状態はアクティブ状態で変わらないが、張出装置２６０は、条件１が変化したことを中央集約装置２１０に対して通知する（ステップＳ６２）。
【０１１２】
条件２がＦａｌｓｅになると、それ以前において条件１及び条件３がＦａｌｓｅになっており、このタイミングで全ての条件がＦａｌｓｅになるので動作状態は非アクティブ状態に遷移する。張出装置２６０は、条件２が変化したことを中央集約装置２１０に対して通知する（ステップＳ５１）。このとき、動作状態が非アクティブ状態に遷移したことを通知してもよい。
【０１１３】
以降も、条件が変わったときに、張出装置２６０は、条件が変化したことを中央集約装置２１０に対して通知する（ステップＳ５２〜Ｓ５５）。
【０１１４】
上記の例の変形例として、張出装置２６０が中央集約装置２１０に対して動作状態あるいは条件の変化を通知するときに、上りリンク、下りリンク、あるいは両方に関する通知であることを明示してもよい。具体的には、無線基地局２００がユーザ装置３００からＳＲを受信したときは、ユーザ装置３００が上りリンク無線リソースの割り当てを期待していることがわかるので、張出装置２６０は中央集約装置２１０に対して、例えば上りリンクに関することを明示して「Ａｃｔｉｖｅ  Ｔｉｍｅ  ｆｏｒ  ＵＬ」を通知してもよい。あるいは、ｄｒｘ−ＲｅｔｒａｎｓｍｉｓｓｉｏｎＴｉｍｅｒが起動中は、ユーザ装置３００が下りリンク無線リソースの割り当てを期待していることがわかるので、張出装置２６０は中央集約装置２１０に対して、例えば下りリンクに関することを明示して「Ａｃｔｉｖｅ  Ｔｉｍｅ  ｆｏｒ  ＤＬ」を通知してもよい。また、ｄｒｘ−ＩｎａｃｔｉｖｉｔｙＴｉｍｅｒおよびＯｎ  Ｄｕｒａｔｉｏｎについては、張出装置２６０は中央集約装置２１０に対して、例えば上りリンクと下りリンクに関することを明示して「Ａｃｔｉｖｅ  Ｔｉｍｅ  ｆｏｒ  ＡＮＹ」を通知してもよい。
【０１１５】
なお、第１の実施形態と同様に、動作状態通知部２７３は、中央集約装置２１０に対して動作状態あるいは条件の変化を通知するときに、イベント発生タイミングやユーザ装置３００の識別子を通知してもよい。
【０１１６】
＜キャリアアグリゲーション適用時＞
ユーザ装置３００が、複数の張出装置２６０Ａ，２６０Ｂのコンポーネントキャリアを使って通信するキャリアアグリゲーションを用いるときに、張出装置２６０Ａ，２６０Ｂが動作状態を管理する場合には、図１４〜１６に示す形態が考えられる。
【０１１７】
図１４に示す例は、複数の張出装置２６０Ａ，２６０Ｂのそれぞれが独立してユーザ装置３００の動作状態を管理し、中央集約装置２１０は、複数の張出装置２６０Ａ，２６０Ｂのそれぞれから通知された動作状態を用いてユーザ装置３００のスケジューリングを行う。例えば、中央集約装置２１０は、複数の張出装置２６０Ａ，２６０Ｂのそれぞれから通知された動作状態の論理和をとってユーザ装置３００の動作状態を決定し、ユーザ装置３００のスケジューリングを行う。
【０１１８】
図１５に示す例は、複数の張出装置２６０Ａ，２６０Ｂのそれぞれが独立してユーザ装置３００の動作状態を管理し、中央集約装置２１０は、複数の張出装置２６０Ａ，２６０Ｂのそれぞれから通知された動作状態を他の張出装置２６０Ａ，２６０Ｂへ通知する。各張出装置２６０Ａ，２６０Ｂは、中央集約装置２１０経由で通知される他の張出装置２６０Ａ，２６０Ｂで管理される動作状態を基に、自身の管理する動作状態を更新する。具体的には、例えば、張出装置２６０Ａにおいて、ｄｒｘ−ＩｎａｃｔｉｖｉｔｙＴｉｍｅｒの起動／再起動があった場合、張出装置２６０Ａは中央集約装置２１０に対してｄｒｘ−ＩｎａｃｔｉｖｉｔｙＴｉｍｅｒの起動／再起動があったことを通知し、中央集約装置２１０は、他の張出装置２６０Ｂに対してｄｒｘ−ＩｎａｃｔｉｖｉｔｙＴｉｍｅｒの起動／再起動があったことを通知する。張出装置２６０Ｂは、その通知を以って、ｄｒｘ−ＩｎａｃｔｉｖｉｔｙＴｉｍｅｒの起動／再起動を実行する。張出装置２６０Ａは、イベント発生タイミングを中央集約装置２１０に通知し、中央集約装置２１０は、イベント発生タイミングを張出装置２６０Ｂに通知してもよい。張出装置２６０Ａがイベント発生タイミングを通知することによって、中央集約装置２１０と張出装置２６０Ａ，２６０Ｂとの間の遅延を考慮して動作状態の管理を処理できる。
【０１１９】
また、中央集約装置２１０は、張出装置２６０Ａから通知されたイベントの一部のみを張出装置２６０Ｂへ通知してもよい。例えば、ＳＲ受信時には、ユーザ装置３００に対してＵＬ  ＣＣ／Ｃｅｌｌが設定されている張出装置２６０のみに通知されてもよい。また、ｄｒｘ−ＲｅｔｒａｎｓｍｉｓｓｉｏｎＴｉｍｅｒのように、ＣＣ内に閉じている制御については、中央集約装置２１０は、他の張出装置２６０Ｂへ通知しなくてもよい。
【０１２０】
図１５の形態では、中央集約装置２１０は、張出装置２６０Ａから通知された動作状態を他の張出装置２６０Ｂへ通知する機能を備える。張出装置２６０Ａ，２６０Ｂは、中央集約装置２１０から通知される動作状態を取得する機能、自身が管理する動作状態を更新する機能を備える。
【０１２１】
図１６に示す例は、ユーザ装置３００単位で管理されるものは中央集約装置２１０で動作状態を管理し、ＣＣ内に閉じて管理されるものについては各張出装置２６０Ａ，２６０Ｂで動作状態を管理する。ユーザ装置３００単位で管理されるものとしては、例えば、ｄｒｘ−ＩｎａｃｔｉｖｉｔｙＴｉｍｅｒ，ｏｎＤｕｒａｔｉｏｎＴｉｍｅｒなどがある。ＣＣ内に閉じて管理されるものとしては、例えば、ｄｒｘ−ＲｅｔｒａｎｓｍｉｓｓｉｏｎＴｉｍｅｒがある。中央集約装置２１０が管理する動作状態は、張出装置２６０Ａ，２６０Ｂのそれぞれに通知される。張出装置２６０Ａ，２６０Ｂは、中央集約装置２１０から通知された動作状態を基に、自身の管理する動作状態を更新する。
【０１２２】
図１６の形態では、中央集約装置２１０は、ユーザ装置３００の動作状態の一部を管理する機能、動作状態を張出装置２６０Ａ，２６０Ｂへ通知する機能を備える。張出装置２６０Ａ，２６０Ｂは、動作状態の一部を管理する機能、中央集約装置２１０から通知される動作状態を取得する機能、及び自身が管理する動作状態を更新する機能を備える。
【０１２３】
なお、ここで説明した張出装置２６０Ａ，２６０Ｂにおける動作状態の管理及び中央集約装置２１０と張出装置２６０Ａ，２６０Ｂとの間の情報交換は、張出装置２６０Ａ，２６０Ｂ配下のＣＣが活性化状態の場合にのみ実施されてもよい。
【０１２４】
また、ユーザ装置３００は、ＤＲＸ  ｃｏｍｍａｎｄ  ＭＡＣ  ＣＥを受信すると、ユーザ装置３００は強制的に非アクティブ状態へ遷移にする。仮に、ＤＲＸ  ｃｏｍｍａｎｄ  ＭＡＣ  ＣＥがＨＡＲＱ再送超過する場合には、ユーザ装置３００が非アクティブ状態へ遷移したとみなして、中央集約装置２１０は、張出装置２６０Ａ，２６０Ｂのそれぞれに対して、強制的に非アクティブ状態への遷移を指示してもよい。
【０１２５】
ＤＲＸ制御が、ＣＣ単位あるいはセルグループ単位で行われる場合には、中央集約装置２１０は、関連するＣＣ／Ｃｅｌｌを担う張出装置２６０Ａ，２６０Ｂのみに通知してもよい。
【０１２６】
以上説明したように、本実施形態によれば、張出装置２６０がユーザ装置３００の動作状態を管理する動作状態管理部２７１を備えて、送受信制御部２６９が、ユーザ装置３００の動作状態に基づいて、ユーザ装置との間の信号の送受信及び中央集約装置２１０との間の信号の送受信を制御することにより、張出装置２６０は、誤った情報の送受信及び不要な情報の送受信を抑制できる。すなわち、ＭＡＣスケジューラなどの上位レイヤの機能と、無線物理レイヤの機能とが分離して実装された場合でも、ユーザ装置の動作状態に応じて適切な制御を実現し得る。
【０１２７】
なお、本発明は、以下のように表現されてもよい。本発明の一態様は、張出装置（張出装置２６０）と中央集約装置（中央集約装置２１０）とを含み、ユーザ装置（ユーザ装置３００）と無線通信を実行する無線基地局（無線基地局２００）であって、前記中央集約装置は、前記ユーザ装置がアクティブタイム中であるか否かを示す動作状態情報を前記張出装置へ通知する動作状態通知部（動作状態通知部２１７）を備え、前記張出装置は、前記動作状態情報を受信する動作状態情報取得部（動作状態取得部２６７）と、前記動作状態情報に基づいて、前記ユーザ装置との間の信号の送信と受信の少なくとも一方及び／又は前記中央集約装置との間の信号の送信と受信の少なくとも一方を制御する制御部（送受信制御部２６９）と、を備える。
【０１２８】
本発明の一態様において、前記制御部は、前記ユーザ装置がアクティブタイム中でないことを示す前記動作状態情報を受信した場合、前記中央集約装置に対する前記ユーザ装置との間の無線品質を示す品質情報の送信を抑制してもよい。
【０１２９】
本発明の一態様において、前記制御部は、前記ユーザ装置からランダムアクセスプリアンブルを受信した後、前記中央集約装置から前記ユーザ装置がアクティブタイム中であることを示す前記動作状態情報を受信した場合、前記ユーザ装置からの前記ランダムアクセスプリアンブルの受信を抑制してもよい。
【０１３０】
本発明の一態様において、前記制御部は、前記ユーザ装置がアクティブタイム中でないことを示す前記動作状態情報を受信した後、前記中央集約装置から前記ユーザ装置に対する下りリンク制御信号を受信した場合、前記中央集約装置に対してエラーを通知してもよい。
【０１３１】
本発明の一態様は、張出装置と中央集約装置とを含み、ユーザ装置と無線通信を実行する無線基地局における通信制御方法であって、前記中央集約装置が、前記ユーザ装置がアクティブタイム中であるか否かを示す動作状態情報を前記張出装置へ通知するステップと、前記張出装置が、前記中央集約装置から受信した前記動作状態情報に基づいて、前記ユーザ装置との間の信号の送信と受信の少なくとも一方及び／又は前記中央集約装置との間の信号の送信と受信の少なくとも一方を制御するステップと、を含む。
【０１３２】
本発明の一態様は、張出装置（張出装置２６０）と中央集約装置（中央集約装置２１０）とを含み、ユーザ装置（ユーザ装置３００）と無線通信を実行する無線基地局（無線基地局２００）であって、前記中央集約装置は、前記ユーザ装置がアクティブタイム中であるか否かを示す動作状態情報を受信する動作状態受信部（動作状態状態取得部２６７）を備え、前記張出装置は、前記ユーザ装置との間の信号の送受信状況に基づいて、当該ユーザ装置の前記動作状態情報を管理する動作状態管理部（動作状態管理部２７１）と、前記動作状態情報を前記中央集約装置へ通知する動作状態通知部（動作状態通知部２７３）と、前記動作状態情報に基づいて、前記ユーザ装置との間の信号の送信と受信の少なくとも一方及び／又は前記中央集約装置との間の信号の送信と受信の少なくとも一方を制御する制御部（送受信制御部２６９）と、を備える。
【０１３３】
本発明の一態様は、張出装置と中央集約装置とを含み、ユーザ装置と無線通信を実行する無線基地局における通信制御方法であって、前記中央集約装置が、前記ユーザ装置がアクティブタイム中であるか否かを示す動作状態情報を受信するステップと、前記張出装置が、前記ユーザ装置との間の信号の送受信状況に基づいて、当該ユーザ装置の前記動作状態情報を管理するステップと、前記張出装置が、前記動作状態情報を前記中央集約装置へ通知するステップと、前記張出装置が、前記動作状態情報に基づいて、前記ユーザ装置との間の信号の送信と受信の少なくとも一方及び／又は前記中央集約装置との間の信号の送信と受信の少なくとも一方を制御するステップと、を含む。
【符号の説明】
【０１３４】
１０…無線通信システム
１００…無線基地局
１１０…中央集約装置
１６０…張出装置
２０…コアネットワーク
２００…無線基地局
２１０…中央集約装置
２１１…情報受信部
２１３…情報送信部
２１５…動作状態管理部
２１７…動作状態通知部
２１９…スケジューラ機能部
２２１…Ｘ２インタフェース部
２２３…ＤＲＸ設定通知部
２２５…動作状態取得部
２６０，２６０Ａ，２６０Ｂ…張出装置
２６１…無線通信部
２６３…情報送信部
２６５…情報受信部
２６７…動作状態取得部
２６９…送受信制御部
２７１…動作状態管理部
２７３…動作状態通知部
３００…ユーザ装置
【図１】
2017188834.tif 000003
【図２】
2017188834.tif 000004
【図３】
2017188834.tif 000005
【図４】
2017188834.tif 000006
【図５】
2017188834.tif 000007
【図６】
2017188834.tif 000008
【図７】
2017188834.tif 000009
【図８】
2017188834.tif 000010
【図９】
2017188834.tif 000011
【図１０】
2017188834.tif 000012
【図１１】
2017188834.tif 000013
【図１２】
2017188834.tif 000014
【図１３】
2017188834.tif 000015
【図１４】
2017188834.tif 000016
【図１５】
2017188834.tif 000017
【図１６】
2017188834.tif 000018